【手続補正書】
【提出日】平成24年6月19日(2012.6.19)
【手続補正１】
【補正対象書類名】明細書
【補正対象項目名】００１６
【補正方法】変更
【補正の内容】
【００１６】
基層が、発泡ポリウレタン分散体から得ることができるフォームを含んでなることが考えられる。この基層を、覆われる創傷の上に置く。有利には、このフォームは、連続気泡を含む少なくとも部分的に連続した微孔性気泡構造を有する。
【手続補正２】
【補正対象書類名】明細書
【補正対象項目名】００２２
【補正方法】変更
【補正の内容】
【００２２】
被覆層に有用な材料は特に、ポリウレタン、ポリエチレン、ポリプロピレン、ポリ塩化ビニル、ポリスチレン、ポリエーテル、ポリエステル、ポリアミド、ポリカーボネート、ポリカルボン酸、例えば、ポリアクリル酸、ポリメタクリル酸、ポリマレイン酸、ポリ酢酸ビニル、ポリビニルアルコール、セルロースエステルおよび／またはそれらの混合物に基づく弾性ポリマーから製造されるような、フォーム、フィルムまたはフォーム−フィルムを包含する。しかしながら、天然繊維（例えば、セルロース、綿または麻）に基づく織布および不織布、並びにプラスチック被覆された織布および不織布を使用することも可能である。
【手続補正３】
【補正対象書類名】明細書
【補正対象項目名】００２４
【補正方法】変更
【補正の内容】
【００２４】
本発明の層状複合材料には特に、高い透湿性を有するようなポリマーフィルムを使用できる。この目的に特に適したフィルムは、ポリウレタン、ポリエーテルウレタン、ポリエステルウレタン、ポリエーテル−ポリアミドコポリマー、ポリアクリレートまたはポリメタクリレートから製造される。ポリウレタンフィルム、ポリエステルポリウレタンフィルムまたはポリエーテルポリウレタンフィルムが、ポリマーフィルムとして使用するのに特に好ましい。５μｍ〜８０μｍ、特に５μｍ〜６０μｍ、より好ましくは１０μｍ〜３０μｍの厚さを有するそのようなフィルムがとりわけ好ましい。
【手続補正４】
【補正対象書類名】明細書
【補正対象項目名】００４５
【補正方法】変更
【補正の内容】
【００４５】
エチレンオキシド−プロピレンオキシドブロックコポリマーは、一般式（１）：
【化１】
2011526220.tif 000001
［式中、ｎは２〜２００、好ましくは６０〜１８０、より好ましくは１３０〜１６０の範囲であり、ｍは１０〜６０、好ましくは２５〜４５、より好ましくは２５〜３５の範囲である。］
で示される構造を有することができる。
【手続補正５】
【補正対象書類名】明細書
【補正対象項目名】００４７
【補正方法】変更
【補正の内容】
【００４７】
本発明の層状複合材料の１つの態様では、アニオン性親水化ポリウレタン水性分散体（Ｉ）は、
Ａ）Ａ１）有機ポリイソシアネートおよび
Ａ２）４００ｇ／ｍｏｌ〜８０００ｇ／ｍｏｌの数平均分子量および１．５〜６のＯＨ官能価を有するポリマーポリオール
を含んでなる反応混合物から得ることができるイソシアネート官能性プレポリマーを供給し、次いで、
Ｂ）該プレポリマーの遊離ＮＣＯ基を全部または部分的に
Ｂ１）イソシアネート反応性のアニオン性または潜在アニオン性親水化剤
と連鎖延長を伴いながら反応させ、工程Ｂ）の前、間または後に該プレポリマーを水に分散し、反応混合物中になお存在する潜在アニオン性基を、中和剤との部分反応または完全反応によってイオン状態に転化することによって得ることができる。
【手続補正６】
【補正対象書類名】明細書
【補正対象項目名】００５６
【補正方法】変更
【補正の内容】
【００５６】
成分Ａ１）として、１，６−ヘキサメチレンジイソシアネート、イソホロンジイソシアネート、異性体ビス（４，４’−イソシアナトシクロヘキシル）メタン、およびそれらの混合物を使用することが特に好ましい。
【手続補正７】
【補正対象書類名】明細書
【補正対象項目名】０１３９
【補正方法】変更
【補正の内容】
【０１３９】
本発明の方法では、振盪による高速回転での組成物の機械的撹拌によって、または発泡ガスの解放によって、発泡を完遂する。
【手続補正８】
【補正対象書類名】特許請求の範囲
【補正対象項目名】全文
【補正方法】変更
【補正の内容】
【特許請求の範囲】
【請求項１】
基層（１０）、該基層上の吸収層（２０）、および被覆層（３０）を含んでなる、創傷処置用品として有用な層状複合材料であって、被覆層（３０）が基層（１０）および吸収層（２０）の両方に結合し、基層（１０）がアニオン性親水化ポリウレタン水性分散体（Ｉ）含有組成物を発泡および乾燥させることによって得られたポリウレタンフォームを含んでなる、層状複合材料。
【請求項２】
基層（１０）のポリウレタンフォームを得るための組成物が、脂肪酸アミド、スルホスクシンアミド、炭化水素スルホネート、ヒドロカルビルスルフェート、脂肪酸塩、アルキルポリグリコシドおよび／またはエチレンオキシド−プロピレンオキシドブロックコポリマーからなる群から選択される添加剤を更に含んでなる、請求項１に記載の層状複合材料。
【請求項３】
エチレンオキシド−プロピレンオキシドブロックコポリマーが、一般式（１）：
【化１】
2011526220.tif 000002
［式中、ｎは２〜２００の範囲であり、ｍは１０〜６０の範囲である。］
で示される構造を有する、請求項２に記載の層状複合材料。
【請求項４】
アニオン性親水化ポリウレタン水性分散体（Ｉ）が、
Ａ）Ａ１）有機ポリイソシアネートおよび
Ａ２）４００ｇ／ｍｏｌ〜８０００ｇ／ｍｏｌの数平均分子量および１．５〜６のＯＨ官能価を有するポリマーポリオール
を含んでなる反応混合物から得ることができるイソシアネート官能性プレポリマーを供給し、次いで、
Ｂ）該プレポリマーの遊離ＮＣＯ基を全部または部分的に
Ｂ１）イソシアネート反応性のアニオン性または潜在アニオン性親水化剤
と連鎖延長を伴いながら反応させ、工程Ｂ）の前、間または後に該プレポリマーを水に分散し、反応混合物中になお存在する潜在アニオン性基を、中和剤との部分反応または完全反応によってイオン状態に転化することによって得ることができる、請求項１に記載の層状複合材料。
【請求項５】
工程Ａ）における反応混合物が、
Ａ３）６２ｇ／ｍｏｌ〜３９９ｇ／ｍｏｌの分子量を有するヒドロキシル官能性化合物
を更に含んでなる、請求項４に記載の層状複合材料。
【請求項６】
工程Ａ）における反応混合物が、
Ａ４）イソシアネート反応性のアニオン性、潜在アニオン性および／または非イオン性親水化剤
を更に含んでなる、請求項４に記載の層状複合材料。
【請求項７】
工程Ｂ）において、プレポリマーの遊離ＮＣＯ基を全部または部分的に
Ｂ２）３２ｇ／ｍｏｌ〜４００ｇ／ｍｏｌの分子量を有するアミノ官能性化合物
と更に反応させる、請求項４に記載の層状複合材料。
【請求項８】
アニオン性親水化ポリウレタン水性分散体（Ｉ）の調製において、成分Ａ１）が１，６−ヘキサメチレンジイソシアネート、イソホロンジイソシアネートおよび／または異性体ビス−（４，４’−イソシアナトシクロヘキシル）メタンからなる群から選択され、更に、成分Ａ２）がポリカーボネートポリオールおよびポリテトラメチレングリコールポリオールの混合物を含んでなり、ポリカーボネートポリオールおよびポリテトラメチレングリコールポリエーテルポリオールの総量が占める成分Ａ２）中の割合が７０重量％〜１００重量％である、請求項４に記載の層状複合材料。
【請求項９】
吸収層（２０）の材料が、アクリル酸およびアクリル酸ナトリウムのコポリマー、またはアクリル酸と二官能性および／または多官能性モノマーとの架橋コポリマーを含んでなる、請求項１に記載の層状複合材料。
【請求項１０】
被覆層（３０）の材料が、基層（１０）中に存在するポリウレタンフォームと同じポリウレタンフォームを含んでなる、請求項１に記載の層状複合材料。
【請求項１１】
基層（１０）と被覆層（３０）の間の直接結合が０．８Ｎ／ｍｍ以上の剥離強さを有する、請求項１に記載の層状複合材料。
【請求項１２】
被覆層の透湿度が７５０ｇ／ｍ２／２４時間〜５０００ｇ／ｍ２／２４時間の範囲である、請求項１に記載の層状複合材料。
【請求項１３】
・アニオン性親水化ポリウレタン水性分散体（Ｉ）含有組成物を発泡および乾燥させることによって得られたポリウレタンフォームを含んでなる基層（１０）を供給する工程、
・該基層（１０）上に吸収層（２０）を適用する工程、
・基層（１０）および吸収層（２０）の両方に結合するよう更なる層を適用する工程
を含む、請求項１に記載の層状複合材料の製造方法。
【請求項１４】
アニオン性親水化ポリウレタン水性分散体（Ｉ）含有組成物を発泡させることによって更なる層を得、更なる層の適用後に層状複合材料を乾燥する、請求項１３に記載の方法。
【請求項１５】
請求項１に記載の層状複合材料の、創傷処置用品、失禁用製品および／または化粧用品としての使用。